(57)【要約】【課題】回転ホルダを所定角度ずつ回転させる駆動手段の具体的でかつ望ましい構成を提供し、新型の記憶媒体収容装置の実用化を図る。【解決手段】記憶媒体収容装置は、中心軸３２の周囲に各々記憶媒体を前側から挿入して収容する複数の記憶媒体収容部が円周方向に所定角度毎に形成された回転ホルダ３３と、この回転ホルダの後端面に、記憶媒体収容部に対応して円周方向に所定角度毎に突設された複数の係合突起部６１ｃと、回転ホルダの後端側でその中心軸と直交する平面内に沿って移動可能に配置された可動部材６３と、この可動部材から出没可能に設けられた係合爪６６と、この係合爪を可動部材から突出した状態に常時付勢する弾性部材６８と、可動部材を回転ホルダに対し近接方向又は離間方向に選択的に移動させるアクチュエータとを備える。【選択図】      図１５
2005259100.tif 000002
【特許請求の範囲】
【請求項１】
中心軸回りに回転可能に支持され、中心軸の周囲にそれぞれ金額価値を特定する情報を記憶した記憶媒体を前側から挿入して収容する複数の記憶媒体収容部が円周方向に所定角度毎に形成された回転ホルダと、
この回転ホルダの後端面に、上記記憶媒体収容部に対応して円周方向に所定角度毎に突設された複数の係合突起部と、
上記回転ホルダの後端側でその中心軸と直交する平面内に沿って移動可能に配置された可動部材と、
この可動部材から出没可能に設けられた係合爪と、
この係合爪を可動部材から突出した状態に常時付勢する弾性部材と、
上記可動部材を回転ホルダに対し近接方向又は離間方向に選択的に移動させるアクチュエータとを備えており、
上記アクチュエータにより可動部材を回転ホルダに対し近接方向に移動させたとき上記係合爪が１つの係合突起部に係合して回転ホルダを所定角度回転させ、その後アクチュエータにより可動部材を回転ホルダに対し離間方向に移動させたときに係合爪が他の係合突起部に接触すると係合爪が弾性部材の付勢力に抗して可動部材内に没入するように構成されていることを特徴とする記憶媒体収容装置。
【請求項２】
上記可動部材は、平面形状が略三角形状のもので、その１つの角部で支軸を介して回動可能に支持されており、上記係合爪は、この可動部材の支軸と対向する一辺から側方に出没可能に設けられている請求項１記載の記憶媒体収容装置。
【請求項３】
上記アクチュエータは、電源のオンオフ切替によりプランジャが軸方向に移動する直動型ソレノイドからなる請求項１又は２記載の記憶媒体収容装置。
【請求項４】
上記直動型ソレノイドは、そのプランジャを上下方向に向けて配置されている請求項３記載の記憶媒体収容装置。
【請求項５】
上記複数の係合突起部は、回転ホルダの後端面に回転ホルダと同心状に固定された筒状の固定部により互いに連結されている請求項１ないし請求項４のいずれか一つに記載の記憶媒体収容装置。
【請求項６】
上記各係合突起部は、円弧状曲面と平面とを有する半円柱状に形成され、係合爪が係合突起部に係合して回転ホルダを所定角度回転させるとき円弧状曲面で係合爪と接触し、係合爪が係合突起部との接触により可動部材内に没入するとき平面で係合爪と接触するようになっている請求項１ないし請求項５のいずれか一つに記載の記憶媒体収容装置。
【請求項７】
上記回転ホルダの外周面には回転ホルダの回転停止位置毎にそれぞれ窪みが形成されているとともに、これらの窪みに嵌合可能な１つのロック部材がばねにより回転ホルダの中心に向けて付勢され、回転ホルダが中心軸回りに所定角度回転する毎に上記ロック部材が１つの窪みに嵌合して回転ホルダを回転停止位置に保持するようになっている請求項１ないし請求項６のいずれか一つに記載の記憶媒体収容装置。
【請求項８】
請求項１ないし請求項７のいずれか一つに記載の記憶媒体収容装置を用いた遊技媒体貸出装置であって、
上記記憶媒体収容装置を内蔵する筐体の前面には記憶媒体収容装置の回転ホルダに対向して透視部が設けられ、この透視部には回転ホルダの記憶媒体収容部に対し記憶媒体を出し入れするための１つの出入口が設けられているとともに、透視部を通して回転ホルダの各記憶媒体収容部での記憶媒体の収容状況が視認可能になっていることを特徴とする遊技媒体貸出装置。
【発明の詳細な説明】
【技術分野】
【０００１】
本発明は、遊技場内に設置される遊技媒体貸出装置や精算機などに金額価値を特定する情報を記憶した記憶媒体を収容するために装備する記憶媒体収容装置及びそれを用いた遊技媒体貸出装置に関する。
【背景技術】
【０００２】
従来、パチンコホールなどの遊技場では、金額価値情報を記憶した記憶媒体としてのプリペイドカード（以下、単にカードという）によりパチンコ球やメダルなどの遊技媒体の貸出を行うために、紙幣挿入口に挿入された紙幣の金額に応じた金額価値情報を書き込んだカードを発行するカード発行機、このカードの挿入を受け付けて隣接する遊技機に対し遊技媒体の貸出処理を行う台間機としての遊技媒体貸出装置、及び金額価値の残っているカードを受け付けて精算処理を行う精算機などが設置されている。
【０００３】
上記遊技媒体貸出装置には、カードの発行機能を有するカード発行型のものと、カードの発行機能を有しない非発行型のものとがある。カード発行型の遊技媒体貸出装置は、例えば特許文献１に開示されるように、装置内に予め１枚のカードを収容しておき、紙幣挿入口に所定の紙幣が挿入されると装置内に収容していたカードに挿入紙幣分の金額価値を書き込んでカード出入口に露出させた後、遊技者の操作に応じてこのカードを装置内に引き込み、遊技媒体の貸出処理を行う。金額価値が零になったカードは、別のカードを収容していない場合装置内に回収され、別のカードを収容している場合カード出入口より排出される。
【特許文献１】特開平９−１４０９２２号公報
【０００４】
ところが、上記カード発行型の遊技媒体貸出装置では、単一のカードを収容しているに過ぎないため、そのカードが抜き取られると店員が新たなカードを補充する必要があるとともに、その補充をするまでの間装置が使用不能となり、稼働率が低くなるという問題がある。特に、高額のカードを発行するものの場合、残額のあるカードを遊技者が抜き取る可能性が高いため、この問題が一層顕著なものである。
【０００５】
また、従来の遊技媒体貸出装置は、カード発行型及び非発行型のいずれも金額価値が零になったカードを装置外に排出しているため、カードが遊技場内で散乱し、店員がカードを回収する作業が必要になるとともに、装置外に排出されたカードを利用した偽造カードによる不正行為を招く虞もある。
【０００６】
このような問題を解決するために、遊技媒体貸出装置が複数枚のカードを収容できるようにすることが考えられるが、複数枚のカードを１枚ずつ排出できる状態に収容するためには大きなスペースが必要になり、特に、台間機として限られた幅の各遊技機の間に配置される遊技媒体貸出装置では奥行き方向に大型化し、遊技場への適用が困難になる。また、積層して収容された複数のカードを１枚ずつ正確に排出するためには複雑な機構が必要になり、部品点数の増加によるコストの上昇を招くという欠点もある。
【０００７】
そこで、本出願人は、先に、以上のことを考慮し、装置の小型化及びコストの低廉化などを図るために、記憶媒体として、カードの代わりに、ＩＣチップを内蔵する棒状のものを用い、この棒状の記憶媒体を複数収容できかつ１つずつ排出できるようにするための新型の記憶媒体収容装置を装備してなる遊技媒体貸出装置を提案している（特願２００３−３０７８９９号明細書及び図面参照）。この新型の記憶媒体収容装置は、中心軸回りに回転可能に支持された回転ホルダの中心軸の周囲に、それぞれ上記記憶媒体を前側から挿入して収容する複数の記憶媒体収容部を円周方向に所定角度毎に形成し、上記回転ホルダを所定角度ずつ回転させる駆動手段を備えてなる。
【発明の開示】
【発明が解決しようとする課題】
【０００８】
上記新型の記憶媒体収容装置では、回転ホルダを所定角度ずつ回転させる駆動手段の具体的な構成及びその作動の信頼性が重要であり、実用化を図るために高い信頼性を確保することが要求される。
【０００９】
本発明はかかる点に鑑みてなされたものであり、その第１の課題とするところは、上記駆動手段の具体的でかつ望ましい構成を提供し、もって新型の記憶媒体収容装置の実用化を図り得るようにするものである。
【００１０】
また、本発明の第２の課題は上記新型の記憶媒体収容装置を遊技媒体貸出装置に装備する当たり、実施上好ましい遊技媒体貸出装置を提供するものである。
【課題を解決するための手段】
【００１１】
上記第１の課題を解決するため、請求項１に係る発明は、記憶媒体収容装置を以下のような構成とする。すなわち、中心軸回りに回転可能に支持され、中心軸の周囲にそれぞれ金額価値を特定する情報を記憶した記憶媒体を前側から挿入して収容する複数の記憶媒体収容部が円周方向に所定角度毎に形成された回転ホルダと、この回転ホルダの後端面に、上記記憶媒体収容部に対応して円周方向に所定角度毎に突設された複数の係合突起部と、上記回転ホルダの後端側でその中心軸と直交する平面内に沿って移動可能に配置された可動部材と、この可動部材から出没可能に設けられた係合爪と、この係合爪を可動部材から突出した状態に常時付勢する弾性部材と、上記可動部材を回転ホルダに対し近接方向又は離間方向に選択的に移動させるアクチュエータとを備えており、上記アクチュエータにより可動部材を回転ホルダに対し近接方向に移動させたとき上記係合爪が１つの係合突起部に係合して回転ホルダを所定角度回転させ、その後アクチュエータにより可動部材を回転ホルダに対し離間方向に移動させたときに係合爪が他の係合突起部に接触すると係合爪が弾性部材の付勢力に抗して可動部材内に没入するように構成する。
【００１２】
この構成では、アクチュエータにより可動部材を回転ホルダ寄りに移動させたときには可動部材に設けた係合爪が回転ホルダ側の係合突起部と係合して回転ホルダを確実に所定角度回転させることができる。また、アクチュエータにより可動部材を回転ホルダ寄りから元に戻すときに係合爪が他の係合突起部に接触すると可動部材内に没入して可動部材の戻り動作が支障なく行われるため、作動の信頼性を高めることができる。
【００１３】
請求項２に係る発明は、請求項１記載の記憶媒体収容装置において、上記可動部材及び係合爪の好ましい形態を提供する。すなわち、上記可動部材を、平面形状が略三角形状のものにし、かつその１つの角部で支軸を介して回動可能に支持し、上記係合爪を、この可動部材の支軸と対向する一辺から側方に出没可能に設ける構成とする。この構成では、アクチュエータの作動により可動部材が支軸回りに回動して回転ホルダに近接し又は離間することになり、また係合爪は、この可動部材の支軸と対向する一辺から側方に突出した状態で回転ホルダ側の係合突起部と係合して回転ホルダを所定角度回転させ、可動部材が元に戻るときに他の係合突起部と接触すると可動部材の支軸側に没入することになる。
【００１４】
請求項３に係る発明は、請求項１又は２記載の記憶媒体収容装置において、上記アクチュエータを、電源のオンオフ切替によりプランジャが軸方向に移動する直動型ソレノイドによって構成する。この構成では、アクチュエータとして直動型ソレノイドが用いられ、電源のオンオフ切替だけで可動部材の移動方向が変更されるため、制御が容易なものになる。
【００１５】
請求項４に係る発明は、請求項３記載の記憶媒体収容装置において、上記直動型ソレノイドを、そのプランジャを上下方向に向けて配置する構成とする。この構成では、アクチュエータとしての直動型ソレノイドが軸方向に長いプランジャを上下方向に向けて配置されているため、奥行き寸法が制限される台間機として使用される遊技媒体貸出装置に記憶媒体収容装置を装備する場合に特に有効である。
【００１６】
請求項５に係る発明は、請求項１ないし請求項４のいずれか一つに記載の記憶媒体収容装置において、上記複数の係合突起部を、回転ホルダの後端面に回転ホルダと同心状に固定された筒状の固定部により互いに連結する構成とする。この構成では、複数の係合突起部が筒状の固定部により互いに結合されて１つの部材からなっているため、部品点数が少なくなり、組立などが容易なものになる。
【００１７】
請求項６に係る発明は、請求項１ないし請求項５のいずれか一つに記載の記憶媒体収容装置において、上記各係合突起部を、円弧状曲面と平面とを有する半円柱状に形成するとともに、係合爪が係合突起部に係合して回転ホルダを所定角度回転させるとき円弧状曲面で係合爪と接触し、係合爪が係合突起部との接触により可動部材内に没入するとき平面で係合爪と接触するように構成する。この構成では、係合爪が係合突起部に係合して回転ホルダを所定角度回転させるときには係合突起部の円弧状曲面が係合爪と接触し、その接触個所を回転ホルダの回転に伴い係合突起部の円弧状曲面に沿って変えながら係合爪から係合突起部に力の伝達が持続的に行われるため、回転ホルダの回転を円滑に行うことができる。また、係合爪が係合突起部との接触により可動部材内に没入するときには係合突起部の平面が係合爪と接触して係合爪を没入させる方向の外力が作用し易くなっているため、係合爪の没入動作が円滑に行われることになり、その上、その動作量も少なくて済む。
【００１８】
請求項７に係る発明は、請求項１ないし請求項６のいずれか一つに記載の記憶媒体収容装置において、上記回転ホルダの外周面に、回転ホルダの回転停止位置毎にそれぞれ窪みを形成するとともに、これらの窪みに嵌合可能な１つのロック部材をばねにより回転ホルダの中心に向けて付勢し、回転ホルダが中心軸回りに所定角度回転する毎に上記ロック部材が１つの窪みに嵌合して回転ホルダを回転停止位置に保持するように構成する。この構成では、回転ホルダの外周面に形成した窪みとばねにより付勢されたロック部材との嵌合という比較的簡単な構成によって回転ホルダを回転停止位置に確実に保持することができる。
【００１９】
上記第２の課題を解決するため、請求項８に係る発明は、請求項１ないし請求項７のいずれか一つに記載の記憶媒体収容装置を用いた遊技媒体貸出装置として、上記記憶媒体収容装置を内蔵する筐体の前面に、記憶媒体収容装置の回転ホルダに対向して透視部を設け、この透視部に、回転ホルダの記憶媒体収容部に対し記憶媒体を出し入れするための１つの出入口を設けるとともに、透視部を通して回転ホルダの各記憶媒体収容部での記憶媒体の収容状況が視認可能な構成とする。この構成では、遊技媒体貸出装置の筐体前面の透視部を通して筐体内部の回転ホルダの各記憶媒体収容部での記憶媒体の収容状況が視認可能であるため、記憶媒体収容装置を用いた遊技媒体貸出装置毎の記憶媒体の回収や補充などの管理が容易なものになる。
【発明の効果】
【００２０】
以上のように、本発明の記憶媒体収容装置によれば、中心軸の周囲にそれぞれ記憶媒体を前側から挿入して収容する複数の記憶媒体収容部が円周方向に所定角度毎に形成された回転ホルダを中心軸回りに所定角度ずつ回転させるに当たり、アクチュエータにより可動部材を回転ホルダ寄りに移動させたときには可動部材に設けた係合爪が回転ホルダ側の係合突起部を係合して回転ホルダを確実に所定角度回転させながら、アクチュエータにより可動部材を回転ホルダ寄りから元に戻すときに係合爪が他の係合突起部に接触すると可動部材内に没入して可動部材の戻り動作が支障なく行われるため、回転ホルダの回転駆動部の信頼性を高めることができ、実用化を図ることができる。
【００２１】
特に、請求項２に係る発明では、可動部材が支軸回りに回動して回転ホルダに近接し又は離間するものであり、係合爪はこの可動部材の支軸と対向する一辺から側方に出没するものであるため、これらの部材の動作範囲を狭くすることができ、装置の小型化に寄与することができる。
【００２２】
請求項３に係る発明では、アクチュエータとして直動型ソレノイドを用い、電源のオンオフ切替だけで可動部材の移動方向を変更することができるので、制御の容易化を図ることができ、新型の記憶媒体収容装置の実用化をより図ることができる。
【００２３】
請求項４に係る発明では、上記直動型ソレノイドがプランジャを上下方向に向けて配置されているため、奥行き寸法が制限される台間機として使用される遊技媒体貸出装置に記憶媒体収容装置を装備する場合に特に有効なものである。
【００２４】
請求項５に係る発明では、複数の係合突起部が筒状の固定部により互いに結合されて１つの部材からなっているため、部品点数を少なくすることができ、組立作業の容易化及びコストの低廉化などに寄与することができる。
【００２５】
請求項６に係る発明では、回転ホルダの回転を円滑に行うことができる上、係合爪の没入動作をも円滑に行うことができ、またその動作量も少なくて済むので、作動の信頼性をより高めることができる。
【００２６】
請求項７に係る発明では、回転ホルダの外周面に形成した窪みとばねにより付勢されたロック部材との嵌合という比較的簡単な構成によって回転ホルダを回転停止位置に確実に保持することができるので、作動の信頼性をより一層高めることができる。
【００２７】
また、本発明の遊技媒体貸出装置によれば、筐体前面の透視部を通して筐体内部の回転ホルダの各記憶媒体収容部での記憶媒体の収容状況が視認可能であるため、記憶媒体の回収や補充などの管理を容易にすることができ、実施化を図る上で有利なものである。
【発明を実施するための最良の形態】
【００２８】
以下、本発明を実施するための最良の形態である実施形態を図面に基づいて説明する。
【００２９】
図１及び図２は本発明の一実施形態に係る記憶媒体収容装置を装備する遊技媒体貸出装置Ａの外観を示し、この遊技媒体貸出装置Ａは、遊技場内の横並びに隣接する２台のパチンコ機の間に台間機として設置されるものである。
【００３０】
上記遊技媒体貸出装置Ａは、筐体１内に紙幣識別機２、カードユニット３、記憶媒体収容装置４及び主制御基板（図示せず）などを装備してなり、筐体１の正面側を構成する正面パネル１ａには上側から紙幣挿入口１１、マルチランプ１２、情報表示部１３、確認ボタン１４、リモコン表示部１５、カード出入口１６、モード表示部１７及び記憶媒体収容装置４用の透視部１８が設けられている。
【００３１】
上記紙幣挿入口１１は、筐体１内の紙幣識別機２と連通しており、この紙幣挿入口１１から所定の紙幣（例えば千円札）を挿入すると紙幣識別機２でその紙幣が真正であることを確認した後、紙幣識別機２から紙幣を遊技媒体貸出装置Ａの背面側に配置される紙幣搬送装置（図示せず）に搬送するようになっている。
【００３２】
上記マルチランプ１２は、遊技媒体貸出装置Ａの動作状態を点灯色及び点灯状態（例えば連続点灯状態又は点滅状態）によって表示するものである。また、情報表示部１３は、エラーコードなどの情報を７セグメントで表示するもので、確認ボタン１４の押し操作により表示が行われる。リモコン表示部１５は、リモコンの故障時などを７セグメントで表示するものである。
【００３３】
上記モード表示部１７は、カードユニット３又は記憶媒体収容装置４のいずれが使用可能なモードであるかを「△」記号側の上半部又は「▽」記号側の下半部を点灯して表示するものである。カードユニット３が使用可能なモードの場合、カード出入口１６にカードが挿入されているときに、紙幣挿入口１１に所定の紙幣を挿入するとカード出入口１６に挿入されているカードに挿入金額に相当する分の金額価値を書き込ませ、隣接する一方のパチンコ機に対し貸出データを送信してパチンコ球の貸出を行わせる。また、記憶媒体収容装置４が使用可能なモードの場合、カードの代わりに、図３に示すような棒状の記憶媒体２０を、透視部１８に設けた出入口２１から発行するとともに、記憶媒体２０の出入口２１への挿入を受け付け、その記憶媒体２０の金額価値に応じた数のパチンコ球の貸出を隣接する一方のパチンコ機に対し行わせる。
【００３４】
上記記憶媒体２０は、アンテナを含むＩＣチップ２２を中心部に収納したものであり、この記憶媒体２０の上面の軸方向両端部にはそれぞれ矩形状の凹部２３，２３が形成されているとともに、記憶媒体２０の下面には軸方向に平行に延びる２つの溝２４，２４が形成されている。よって、記憶媒体２０は、記憶媒体収容装置４の出入口２１に挿入する際にはその前後を問わないようになっている。
【００３５】
上記記憶媒体収容装置４は、図４ないし図１１に詳示するように、箱形のケース３１と、このケース３１内の前部側に中心軸３２を前後方向に向けた状態でかつ中心軸３２回りに回転可能に支持された回転ホルダ３３と、この回転ホルダ３３の後述する記憶媒体収容部４０に収容された記憶媒体２０のロック状態を解除して出入口２１より排出するためのロック解除部３４と、回転ホルダ３３を中心軸３２回りに所定角度ずつ回転させる回転駆動部３５と、ケース３１内の後部側に配置されかつロック解除部３４及び回転駆動部３５の作動を制御する制御基板３６とを備えている。ケース３１は半割りのもので、筐体１の側面にねじ止めにより固定されたベース３１ａと、このベース３１ａに重ね合わせてねじ止めにより固定されたカバー３１ｂとからなる。
【００３６】
上記回転ホルダ３３の中心軸３２の周囲にはそれぞれ上記記憶媒体２０を前側から挿入して収容する６つの記憶媒体収容部４０，４０，…が円周方向に所定角度（６０°）毎に形成されている。この回転ホルダ３３の前端部は、ケース３１の前壁より前方に突出しているとともに、回転ホルダ３３の６つの記憶媒体収容部４０，４０，…うち、中心軸３２の真上で最上部に位置する記憶媒体収容部４０は、透視部１８の出入口２１に対向するようになっており、回転ホルダ３３の各記憶媒体収容部４０に対する記憶媒体２０の挿入及び排出は、その記憶媒体収容部４０が最上部に位置するときに行われる。ここで、上記透視部１８はアクリル樹脂やガラスなどの透明な部材からなり、この透視部１８を通して回転ホルダ３３の各記憶媒体収容部４０での記憶媒体２０の収容状況が視認可能つまり一目で分かるようになっている。
【００３７】
上記回転ホルダ３３の後部には、図１２に拡大詳示するように、各記憶媒体収容部４０に対応してそれぞれ、記憶媒体収容部４０に収容された記憶媒体２０を収容位置に保持するロック部材４１と、このロック部材４１による保持状態を解除した時記憶媒体２０を記憶媒体収容部４０内の収容位置より前方に押圧する押圧部材４２とが設けられている。
【００３８】
上記ロック部材４１は、図１３に詳示するように、一端部に記憶媒体２０の凹部２３に係合可能なフック部４１ａを有し、中央部に左右一対の軸部４１ｂ，４１ｂを有するもので、フック部４１ａを前向きにした状態で回転ホルダ３３に対し軸部４１ｂ回りに回動可能に支持されているとともに、ばね部材４３によりフック部４１ａが記憶媒体２０の凹部２３に係合する方向に常時回動付勢されている。ばね部材４３は、図１４にも示すように、回転ホルダ３３の後端面に固定される略円形状の固定部４３ａと、この固定部４３ａの周縁部に各記憶媒体収容部４０に対応してそれぞれ後向きに略直角に折り曲げてなる６つの板ばね部４３ｂ，４３ｂ，…とを有しており、このばね部材４３の板ばね部４３ｂ上にロック部材４１のフック部４１ａと反対側の端部が重ね合わせて支持されている。
【００３９】
上記押圧部材４２は、記憶媒体収容部４０内に収容された記憶媒体２０の端面に当接可能でかつ回転ホルダ３３に軸方向に摺動可能に設けられた押圧部４２ａと、この押圧部４２ａから上記ばね部材４３の固定部４３ａに設けた挿通孔４４（詳しくは図１４参照）を通して後方にまで延出するロッド部４２ｂとからなる。この押圧部材４２のロッド部４２ｂ外周には、押圧部４２ａとばね部材４３の固定部４３ａとの間に縮装したコイルばね４５が配置されており、このコイルばね４５のばね反力により押圧部材４２が記憶媒体収容部４０内の記憶媒体２０を前方に押圧するようになっている。
【００４０】
上記ロック解除部３４による記憶媒体２０の保持状態の解除は、回転ホルダ３３の最上部に位置する記憶媒体収容部４０に収容された記憶媒体２０に対し行われる。このロック解除部３４は、中央部で支軸４６回りに回動可能に支持された解除レバー４７と、この解除レバー４７の一端にプランジャ４８ａの先端が連結されたソレノイド４８とからなる。ソレノイド４８は、電源のオンオフ切替によりプランジャ４８ａが軸方向に移動する直動型のもので、プランジャ４８ａを下向きにして配置されている。そして、電源のオフ時には図１２に示すように、ソレノイド４８のプランジャ４８ａは、コイルばね４８ｂの付勢力によりソレノイド本体４８ｃから下方に最大限に突出しており、電源をオンに切り替えるとプランジャ４８ａがソレノイド本体４８ｃに引き寄せられ、解除レバー４７が支軸４６回りに図で時計方向に回動してロック部材４１のフック部４１ａと反対側端部を押圧するようになっている。尚、解除レバー４７の支軸４６が貫通する貫通孔４９は、解除レバー４７の回動時の軸方向変位を許容するために長孔に形成されている。
【００４１】
上記回転ホルダ３３の最上部に位置する記憶媒体収容部４０に対向して、通信部５０及び感知センサ５１が設けられている。通信部５０は、上記記憶媒体収容部４０に収容された記憶媒体２０のＩＣチップ２２との間で微少な電力によって非接触で通信が可能で、この記憶媒体２０のＩＣチップ２２に対し金額価値を特定する情報などの書き込み及び読み込みが可能になっている。また、感知センサ５１は、上記記憶媒体収容部４０に収容された記憶媒体２０をロックするロック部材４１のフック部４１ａ側端部に接触しつつその回動に追従して上下動する接触子５１ａを有し、ロック部材４１の動作状態を感知するようになっている。通信部５０及び感知センサ５１は、図示していないが、共に制御基板３６と信号授受可能に接続されている。
【００４２】
また、上記回転ホルダ３３の外周面には、図８に示すように、回転ホルダ３３の回転停止位置毎つまり円周方向に６０°間隔毎にそれぞれ円弧状の窪み５３，５３，…が形成されているとともに、回転ホルダ３３の下方には上記各窪み５３に嵌合可能な１つの円板状のロック部材５４がコイルばね５５により上方つまり回転ホルダ３３の中心に向けて付勢され、回転ホルダ３３が中心軸３２回りに６０°回転する毎に上記ロック部材５４が１つの窪み５３に嵌合して回転ホルダ３３を回転停止位置に保持するようになっている。
【００４３】
一方、上記回転駆動部３５は、図４、図９、図１１及び図１２に示し、また図１５に拡大詳示するように、回転ホルダ３３の後端面にばね部材４３と共に固定された係合部材６１と、この係合部材６１に対応して、つまり回転ホルダ３３の後端側で回転ホルダ３３の中心軸３２と直交する平面内に沿って移動可能に、詳しくは支軸６２回りに回動可能に配置された可動部材６３と、この可動部材６３を回転ホルダ３３に対し近接方向又は離間方向に選択的に伝達アーム６４を介して移動させるアクチュエータ（つまり駆動源）としてのソレノイド６５とを備えている。
【００４４】
上記係合部材６１は、回転ホルダ３３の後端面にばね部材４３の固定部４３ａを介在して回転ホルダ３３と同心状に固定された略円筒状の固定部６１ａと、この固定部６１ａに円周方向に所定角度（６０°）毎に形成された６つの円柱状のボス部６１ｂ，６１ｂ，…と、この各ボス部６１ａの先端からそれぞれ後方に突出して形成された６つの係合突起部６１ｃ，６１ｃ，…とからなり、６つの係合突起部６１ｃ，６１ｃ，…は、固定部６１ａにより互いに連結されている。また、各係合突起部６１ｃは、ボス部６１ｂと同一半径の半円柱状のもので、外周面に円弧状曲面６１ｄと平面６１ｅとを有しており、平面６１ｅは、回転ホルダ３３の半径方向外向きでかつ回転方向前向きに臨んで設けられている。
【００４５】
上記可動部材６３は、図１５に示すように、平面形状が略三角形状のもので、その１つの角部で支軸６２を介してケース３１のベース３１ａ側に回動可能に支持されている。この可動部材６３の支軸６２と対向する一辺の回転ホルダ３３側には、図１６にも示すように、上記各係合突起部６１ｃに係合可能な係合爪６６が回動部材６３に形成した一対の保持片６７，６７により保持されつつ側方に出没可能に設けられており、この係合爪６６は、可動部材６３に装着した弾性部材としての板ばね６８により可動部材６３の一辺から側方に突出した状態に常時付勢されている。また、可動部材６３には、ケース３１のベース３１ａ側に設けた支持部材６９（図４及び図９参照）に突設されたガイドピン７０が貫通しこのガイドピン７０と協働して可動部材６３の回動をガイドする円弧状のガイド孔７１が設けられているとともに、伝達アーム６４の押圧部６４ａが当接するピン部７２が突出して形成されている。可動部材６３の別の角部には丸孔７３が設けられ、この丸孔７３には可動部材６３を回転ホルダ３３から離間する方向に付勢するコイルばね７４の一端が掛け止めされている。
【００４６】
上記ソレノイド６５は、ロック解除部３４のソレノイド４８と同じく電源のオンオフ切替によりプランジャ６５ａが軸方向に移動する直動型のもので、ロック解除部３４のソレノイド４８の真下でプランジャ６５ａを下向きにして配置されている。
【００４７】
次に、上記記憶媒体収容装置４の作動、特に、本発明の特徴点に係る回転ホルダ３３の回転駆動部３５の作動を、図１５、図１７ないし図２０などを参照しながら説明する。
【００４８】
上記回転駆動部３５の直動型ソレノイド６５が電源オフのときには、図１５に示すように、可動部材６３はコイルばね７４により回転ホルダ３３から離間した位置に保持されており、係合爪６６は、板ばね６８により可動部材６３の側方に突出した状態に保持されているが、回転ホルダ３３側の最下部に位置する係合突起部６１ｃと離間している。また、直動型ソレノイド６５は、図４に示すように、プランジャ６５ａがその自重などによりソレノイド本体６５ｂから下方に最大限に突出した状態にある。
【００４９】
このような状態から直動型ソレノイド６５の電源をオンに切り替えるとそのプランジャ６５ａがソレノイド本体６５ｂに引き寄せられ、この引き上げ力が伝達アーム６４を介して可動部材６３のピン部７２に上向き力として伝達される。これにより、可動部材６３がコイルばね７４の付勢力に抗して支軸６２回りに回転ホルダ３３に近接する方向、つまり図で反時計方向に回動し、図１７及び図１８に示すように、係合爪６６が回転ホルダ３３側の最下部に位置する係合突起部６１ｃと係合して回転ホルダ３３を中心軸３２回りに図で時計方向に６０°回転させる。その際、係合突起部６１ｃは、その円弧状曲面６１ｄで係合爪６６と接触係合し、その接触個所を回転ホルダ３３の回転に伴い円弧状曲面６１ｄに沿って変えながら係合爪６６側からの力の伝達を持続的に受けるため、回転ホルダ３３の回転を円滑に行うことができる。尚、回転ホルダ３３を６０°回転させたときには、別の係合突起部６１ｃが回転ホルダ３３側の最下部に位置しており、また、回転ホルダ３３は、その外周面の窪み５３に対し、コイルばね５５により付勢されたロック部材５４が嵌合して回転停止位置に保持される。
【００５０】
その後、直動型ソレノイド６５の電源をオフに切り替えるとコイルばね７４の付勢力により可動部材６３が支軸６２回りに図で時計方向に回動し、図１９に示すように係合爪６６が回転ホルダ３３側の最下部に位置する別の係合突起部６１ｃと接触する。その際、係合爪６６は、図２０に示すように係合突起部６１ｃから受ける反力により板ばね６８の付勢力に抗して可動部材６３の内側に没入して係合突起部６１ｃを回避することになり、可動部材６３は、図１５に示す元の位置にまで戻ることができる。これにより、回転ホルダ３３の６０°毎の回転駆動を円滑に行うことができ、回転駆動部３５ひいては記憶媒体収容装置４の信頼性を高めることができる。
【００５１】
特に、上記係合爪６６が係合突起部６１ｃとの接触により可動部材６３内に没入する際には係合突起部６１ｃの平面６１ｅが係合爪６６と接触して係合爪６６を没入させる方向の外力が作用し易くなっているため、係合爪６６の没入動作を円滑に行うことができ、また、その動作量も少なくて済むので、作動の信頼性をより高めることができる。
【００５２】
その上、上記可動部材６３は、支軸６２回りに回動して回転ホルダ３３に近接し又は離間するものであり、上記係合爪６６はこの可動部材６３の支軸６２と対向する一辺から側方に出没するものであるため、これらの部材６３，６６の動作範囲を狭くすることができ、記憶媒体収容装置４ひいては遊技媒体貸出装置Ａの小型化に寄与することができる。
【００５３】
また、上記回転駆動部３５では、アクチュエータとして直動型ソレノイド６５を用い、電源のオンオフ切替だけで可動部材６３の移動方向を変更することができるので、制御の容易化を図ることができる。しかも、直動型ソレノイド６５がプランジャ６５ａを下向きにして配置されているため、奥行き寸法が制限される台間機としての遊技媒体貸出装置Ａに適用するのに好都合である。
【００５４】
さらに、回転ホルダ３３の後端面に設けられる６つの係合突起部６１ｃ，６１ｃ，…は、円筒状の固定部６１ａにより互いに結合されて１つの係合部材６１からなっているため、部品点数を少なくすることができ、組立作業の容易化及びコストの低廉化などに寄与することができる。
【００５５】
加えて、上記回転ホルダ３３は、その外周面に形成した窪み５３とコイルばね５５により付勢されたロック部材５４との嵌合という比較的簡単な構成によって所定角度毎の回転停止位置に確実に保持されるため、作動の信頼性をより一層高めることができる。
【００５６】
さらにまた、上記実施形態の遊技媒体貸出装置Ａにおいては、筐体１の前面に筐体１内の記憶媒体収容装置４の回転ホルダ３３に対向して設けた透視部１８の出入口２１から記憶媒体２０を回転ホルダ３３の最上部に位置する記憶媒体収容部４０に対し出し入れすることができるだけでなく、この透視部１８が透明な部材からなり、透視部１８を通して回転ホルダ３３の各記憶媒体収容部４０での記憶媒体２０の収容状況が視認可能であるため、記憶媒体２０の回収や補充などの管理を容易にすることができる。
【００５７】
尚、本発明は上記実施形態に限定されるものではなく、その他種々の形態を包含するものである。例えば、上記実施形態では、回転ホルダ３３の中心軸３２の周囲にそれぞれ記憶媒体２０を前方より挿入して収容する６つの記憶媒体収容部４０，４０，…を円周方向に６０°毎に形成した場合について述べたが、本発明は、６つ以外の複数の記憶媒体収容部を回転ホルダ３３の中心軸３２の周囲に円周方向に所定間隔毎に形成してもよい。この場合、回転駆動部３５としては、記憶媒体収容部４０に対応する数の係合突起部６１ｃを回転ホルダ３３の後端面に設け、実施形態の場合と同様に可動部材６３及び係合爪６６などを用いて回転ホルダ３３を所定角度毎に回転させるように構成すればよい。
【００５８】
また、上記実施形態の回転駆動部３５では、可動部材６３を支軸６２回りに回動可能に支持し、直動型ソレノイド６５の電源のオンオフ切替により伝達アーム６４を介して可動部材６３を回転ホルダ３３に対し近接方向又は離間方向に選択的に回動させる構成にしたが、本発明は、直動型ソレノイド６５の代わりに、例えば電源のオンオフ切替によりプランジャが伸縮しながら所定角度回転するロータリソレノイドを用い、このロータリソレノイドを可動部材６３の支軸６２に直接又は連結部材を介して連結して可動部材６３を回転ホルダ３３に対し近接方向又は離間方向に選択的に回動させたり、電動モータを用いて可動部材６３を回動させたりしてもよい。また、回転ホルダ３３の中心軸３２と直交する平面内で可動部材を回転ホルダ３３に対し直線的に近接方向又は離間方向に移動させるようにしてもよい。
【００５９】
さらに、上記実施形態では、遊技場内の２台のパチンコ機の間に設置される台間機としての自発行型の遊技機媒体貸出装置Ａに記憶媒体収容装置４を装備した場合について述べたが、本発明の記憶媒体収容装置は、記憶媒体を発行しない非発行型の遊技媒体貸出装置、２台のスロットマシンの間に設置される台間機としての遊技媒体貸出装置など型式の異なる遊技媒体貸出装置、あるいは遊技媒体貸出装置以外に遊技媒体発行装置又は精算機に装備する場合にも同様に適用することができる。また、金額価値を特定する情報を記憶した記憶媒体２０としては、実施形態の如く棒状のものに限らず、球状又は円盤状のものでもよいのは言うまでもない。
【図面の簡単な説明】
【００６０】
【図１】本発明の実施形態に係る遊技媒体貸出装置の正面図である。
【図２】同じく一部切開側面図である。
【図３】（ａ）は記憶媒体の平面図、（ｂ）は同正面図、（ｃ）は同底面図、（ｄ）は同右側面図、（ｅ）は（ａ）のＥ−Ｅ線における断面図である。
【図４】記憶媒体収容装置の構成を示す一部切開側面図である。
【図５】図４のＦ−Ｆ線における断面図である。
【図６】図４のＧ方向から見た矢視図である。
【図７】図４のＨ−Ｈ線における断面図である。
【図８】図４のＩ−Ｉ線における断面図である。
【図９】図４のＪ−Ｊ線における断面図である。
【図１０】図４のＫ−Ｋ線における断面図である。
【図１１】図４のＬ−Ｌ線における断面図である。
【図１２】図４の回転ホルダ付近の拡大図である。
【図１３】記憶媒体をロックするロック部材の斜視図である。
【図１４】上記ロック部材をロック状態に回動付勢するためのばね部材の斜視図である。
【図１５】図１１における回動駆動部の主要部の拡大図である。
【図１６】図１５のＭ方向から見た可動部材の側面図である。
【図１７】回動駆動部の作動を説明するための図１５相当図である。
【図１８】同じく図１５相当図である。
【図１９】同じく図１５相当図である。
【図２０】同じく図１５相当図である。
【符号の説明】
【００６１】
Ａ    遊技媒体貸出装置
１    筐体
１ａ  正面パネル（筐体の前面）
４    記憶媒体収容装置
１８    透視部
２０    記憶媒体
２１    出入口
３２    中心軸
３３    回転ホルダ
４０    記憶媒体収容部
５３    窪み
５４    ロック部材
５５    コイルばね
６１    係合部材
６１ａ  固定部
６１ｃ  係合突起部
６１ｄ  円弧状曲面
６１ｅ  平面
６２    支軸
６３    可動部材
６５    直動型ソレノイド（アクチュエータ）
６５ａ  プランジャ
６６    係合爪
６８    板ばね（弾性部材）
【図１】
2005259100.tif 000003
【図２】
2005259100.tif 000004
【図３】
2005259100.tif 000005
【図４】
2005259100.tif 000006
【図５】
2005259100.tif 000007
【図６】
2005259100.tif 000008
【図７】
2005259100.tif 000009
【図８】
2005259100.tif 000010
【図９】
2005259100.tif 000011
【図１０】
2005259100.tif 000012
【図１１】
2005259100.tif 000013
【図１２】
2005259100.tif 000014
【図１３】
2005259100.tif 000015
【図１４】
2005259100.tif 000016
【図１５】
2005259100.tif 000017
【図１６】
2005259100.tif 000018
【図１７】
2005259100.tif 000019
【図１８】
2005259100.tif 000020
【図１９】
2005259100.tif 000021
【図２０】
2005259100.tif 000022